(57)【要約】      （修正有）【課題】容器本体の開口側を蓋材で性能良く覆うことにある。【解決手段】蓋材２０が、開口１６から容器本体１０内に侵入可能であるとともに、蓋材２０の縁部２２ａが、開口１６よりも底１４側で容器本体１０の内壁に押し当てられて掛け止められることにより、蓋材２０が、容器本体１０内に保持されながら開口１６側を覆う構成とされる。【選択図】図４
2015209243.tif 000002
【特許請求の範囲】
【請求項１】
水を貯留可能な有底柱状の容器本体と、前記容器本体の開口側を覆う蓋材と、前記蓋材に設けられた窓部とを備え、前記容器本体に水を貯留しつつ前記開口側を前記蓋材で覆うとともに、植物を、前記窓部から挿入して前記容器本体に保持する構成の植物輸送用の容器において、
前記蓋材が、前記開口から前記容器本体内に侵入可能であるとともに、
前記蓋材の縁部が、前記開口よりも底側で前記容器本体の内壁に押し当てられて掛け止められることにより、前記蓋材が、前記容器本体内で保持されながら前記開口側を覆う構成とされる植物輸送用の容器。
【請求項２】
前記開口よりも底側の前記容器本体の内壁に、前記容器本体の内方側に向けて突出する係止突起が形成されるとともに、前記蓋材の縁部が、前記容器本体の内壁に押し当てられて掛け止められた状態で前記係止突起に係止されることにより、前記開口側と前記底側の少なくとも一方への前記蓋材の移動が規制される構成とした請求項１に記載の植物輸送用の容器。
【発明の詳細な説明】
【技術分野】
【０００１】
本発明は、水を貯留可能な有底柱状の容器本体と、容器本体の開口側を覆う蓋材とを備えた植物輸送用の容器に関する。
【背景技術】
【０００２】
この種の植物輸送用の容器として特許文献１に開示の容器が公知である。この容器は、水を貯留可能な容器本体と、容器本体の開口を覆う蓋材とを備える。そして容器本体は、有底柱状（四角柱状）の部材であり、上端に設けられた開口と、フランジ部と、蓋係合用リブを有する。フランジ部は、容器本体の上縁を外方に向けて略水平に屈曲してなる平板部位である。また蓋係合用リブは、フランジ部に設けられた突部であり、開口の周囲に沿って形成される。
【０００３】
また蓋材は、容器本体の開口を被覆可能な略矩形の平板部材（樹脂製）であり、生花保持筒と、嵌合リブを有する。生花保持筒は、植物を挿入可能な円筒状の部位（上下端が開放状）であり、蓋材の中央に設けられて裏面側に突出する。また嵌合リブは、蓋材の上面（生花保持筒の外方）に設けられた突部であり、蓋係合用リブに嵌合可能である。公知技術では、容器本体に水を貯留してその開口を蓋材で覆う。このとき生花保持筒を容器本体内に配置しつつ、容器本体のフランジ部に蓋材の上面をあてがいながら蓋係合用リブに嵌合リブを嵌合する。こうして容器本体に蓋材を取付けたのち、生花保持筒から植物を挿入して容器本体に保持する（輸送可能な状態とする）ことができる。
【先行技術文献】
【特許文献】
【０００４】
【特許文献１】特開２００６−１９９３０６号公報
【発明の概要】
【発明が解決しようとする課題】
【０００５】
ところで公知技術では、蓋係合用リブが、容器本体のフランジ部（上端）に形成されるとともに、嵌合リブが、蓋材（上面）に形成される。このため公知技術の構成では、容器上端に他部材が接触するなどして、蓋係合用リブと嵌合リブが抜け外れるおそれがあった（蓋材の取付け安定性にやや欠ける構成であった）。もっとも容器の開口に蓋材をテープなどで留めることもできる。しかしそうすると容器本体に蓋材を被せたのち、テープなどで留める作業が必要となるため、蓋材の取付け作業性にやや劣る構成となる。本発明は上述の点に鑑みて創案されたものであり、本発明が解決しようとする課題は、容器本体の開口側を蓋材で性能良く覆うことにある。
【課題を解決するための手段】
【０００６】
上記課題を解決するための手段として、第１発明の植物輸送用の容器は、水を貯留可能な有底柱状の容器本体と、容器本体の開口側を覆う蓋材と、蓋材に設けられた窓部とを備える。そして容器本体に水を貯留しつつ開口側を蓋材で覆うとともに、植物を、窓部から挿入して容器本体に保持する構成である。この種の構成では、容器本体の開口側を蓋材で性能良く覆うことが望ましい。
【０００７】
そこで本発明では、蓋材が、開口から容器本体内に侵入可能である。そして蓋材の縁部が、開口よりも底側で容器本体の内壁に押し当てられて掛け止められることにより、蓋材が、容器本体内で保持されながら開口側を覆う構成とされる。本発明では、容器本体を蓋材に挿入する動作により、蓋材が、開口側を覆いつつ容器本体に保持される（蓋材の取付け作業性に優れる構成である）。そして蓋材が、底側で容器本体の内壁に押し当てられて保持された状態となる（蓋材の取付け安定性に優れる構成となる）。
【０００８】
第２発明の植物輸送用の容器は、第１発明の容器であって、開口よりも底側の容器本体の内壁に、容器本体の内方側に向けて突出する係止突起が形成される。そして蓋材の縁部が、容器本体の内壁に押し当てられて掛け止められた状態で係止突起に係止されることにより、開口側と底側の少なくとも一方への蓋材の移動が規制される構成とした。本発明では、係止突起により、蓋材を、容器本体により安定的に保持することができる（取付け安定性に更に優れる構成となる）。
【発明の効果】
【０００９】
本発明に係る第１発明によれば、容器本体の開口側を蓋材で性能良く覆うことができる。また第２発明によれば、容器本体の開口側を蓋材で更に性能良く覆うことができる。
【図面の簡単な説明】
【００１０】
【図１】輸送箱と容器の斜視図である。
【図２】容器本体の斜視図である。
【図３】蓋材の斜視図である。
【図４】容器本体の断面図である。
【図５】変形例１にかかる容器本体の断面図である。
【図６】変形例１にかかる容器本体一部と蓋材一部の断面図である。
【図７】変形例２にかかる容器本体の斜視図である。
【発明を実施するための形態】
【００１１】
以下、本発明を実施するための形態を、図１〜図７を参照して説明する。各図には、容器等の上方に符号ＵＰ、容器等の下方に符号ＤＷを適宜付す。図１の植物輸送用の容器２は、容器本体１０と蓋材２０（いずれも詳細後述）とを備えて、切花や切葉や生花などの植物を収納可能である。そして本実施例では、後述するように容器本体１０に水を貯留したのちその開口１６側を蓋材２０で覆いながら、容器２内に植物４を自立させて収納する（図４を参照）。そして図１を参照して、容器２を、植物とともに直方体状（中空）の輸送箱６内に収納して輸送するのであるが、この種の容器２では、容器本体１０の開口１６側を蓋材２０で性能良く（例えば作業性良く）覆うことが望ましい。そこで本実施例では、後述の構成により、容器本体１０の開口１６側を蓋材２０で性能良く覆うこととした。以下、各構成について詳述する。
【００１２】
（容器本体）
容器本体１０は、有底柱状の部材であり、水を貯留可能である（図２及び図４を参照）。ここで容器本体１０の材質として、剛性を備えた材質（典型的に樹脂）を例示できる。そして本実施例の容器本体１０は、四角柱状の部材であり、容器本体１０の各辺をなす周壁部１２と、底部１４と、開口１６を有する。周壁部１２は、容器２の収納時（図１を参照）を基準として、上部から下部に延びる平板部位であり、その上端が外方に向けて略水平に屈曲する（フランジ状である）。そして周壁部１２の上端（フランジ状の部分）には、略矩形状の孔部Ｈが適所に設けられており、例えば面状のラベル（図示省略）を挿設可能である。また底部１４は、略正方形状の平板部位であり、周壁部１２の下端に連結する。そして開口１６は、上方視で略正方形状をなしており、容器本体１０（周壁部１２）の上端に形成される。
【００１３】
そして本実施例では、開口１６の内寸法Ｌ１（内壁側の各辺の長さ寸法）が、底部１４の内寸法Ｌ２よりも大きく設定される（図４を参照）。そして周壁部１２が、上部（開口側）から下部（底部側）に向かうにつれて次第に内方に向けて傾斜する。このため容器本体１０の開口寸法が、上方から下方に向かうにつれて次第に小さくなり、その途中で蓋材２０（詳細後述）の外形寸法よりも小さくされる（図３を参照）。
【００１４】
（蓋材）
蓋材２０は、容器本体１０の開口側を覆う部材であり、開口１６に挿入可能である（図３及び図４を参照）。本実施例の蓋材２０は、上方視で略正方形状をなしており、各辺の寸法Ｌ３が、開口１６の内寸法Ｌ１よりも小さく（開口１６に挿入可能な寸法に）設定される。ここで蓋材２０の材質として、可撓性を備えた材質（樹脂、ゴム、エラストマ、紙等）を例示できる。
【００１５】
また本実施例の蓋材２０は、略逆Ｕ字状（断面視）をなしており、外壁部２２と、上面２３（蓋材の天井部分をなす部位）と、内壁部２４と、窓部２６を備える。外壁部２２は、上面２３（上方視で略正方形状）の外縁に沿って形成された四角柱状の平板部位であり、上面２３から下方（容器本体側）に向けて突出する。本実施例では、外壁部２２の下端が、容器２の収納時を基準として外方に向けて略水平に屈曲する（外フランジ部２２ａが形成される）。外フランジ部２２ａは、自身の可撓性により、例えば反りかえる向きに撓み変形可能である。また内壁部２４は、上面２３の内縁に沿って形成された円筒状の平板部位であり、上面２３から下方（容器本体側）に向けて突出する。そして窓部２６は、内壁部２４の底面側に設けられた開口（上方視で略円形）であり、植物４の一部を外部に露出可能である（図４を参照）。本実施例では、内壁部２４の下端が内方側に向けて略水平に屈曲しており（内フランジ部２４ａが形成されており）、後述するように窓部２６から挿入された植物４（自立状態）を保持可能である。
【００１６】
（容器の輸送態様）
図１及び図４を参照して、容器本体１０に水（図示省略）を貯留したのちその開口１６側を蓋材２０で覆う。そして窓部２６から植物４の束を挿入しつつ、植物４の下部側（切端や根など）を容器本体１０内の水に浸した状態とする。このとき本実施例では、内壁部２４（専ら内フランジ部２４ａ）で植物４の束を保持するなどして、植物４の束を自立させて容器２に安定的に保持できる（図４を参照）。そして容器２を、植物４とともに輸送箱６内に収納して輸送するのであるが、この種の容器２では、容器本体１０の開口１６側を蓋材２０で性能良く（例えば作業性良く）覆うことが望ましい。
【００１７】
ここで本実施例では、上述のとおり周壁部１２が、上部（開口側）から下部（底部側）に向かうにつれて次第に内方に向けて傾斜する（図４を参照）。また蓋材２０が、開口１６から容器本体１０内に侵入可能な寸法を有する。そこで本実施例では、開口１６側から蓋材２０を挿入しつつ、蓋材２０の縁部（外フランジ部２２ａ）を、開口１６よりも底部１４側で容器本体１０の内壁（周壁部１２の内面）に押し当てる。そして外フランジ部２２ａが反りかえりながら周壁部１２の内面（内壁）に掛け止められることで、蓋材２０が、容器本体１０内に保持されながら開口１６側を覆うこととなる。こうして本実施例では、容器本体１０を蓋材２０に挿入する動作により、蓋材２０が、開口１６側を覆いつつ容器本体１０に保持される（作業性に優れる構成である）。
【００１８】
また本実施例では、容器本体１０内に蓋材２０が保持されることで、周壁部１２にて蓋材２０周囲が覆われた状態となる。このため例えば容器２の上端に他部材が接触したとしても、周壁部１２が防護壁として機能するなどして、蓋材２０が外れることを好適に阻止できる（取付け安定性に優れる構成となる）。そして輸送箱６が揺れて容器本体１０内の水が跳ねたとしても、蓋材２０の裏面（外壁部２２と上面２３と内壁部２４の裏面で構成される凹み部分）に当たって下方に跳ね返ることとなる。
【００１９】
なお容器本体１０に対する蓋材２０の取付け位置（上下方向の位置）は特に限定しない。例えば容器本体１０の長さ寸法（上下の寸法）を２５２ｍｍに設定した場合、容器本体１０の内径寸法を適宜調節するなどして、蓋材２０（上面２３）を、開口１６から１ｍｍ〜１２０ｍｍ下の位置（例えば１ｍｍ下、１００ｍｍ下又は１２０ｍｍ下の位置）に保持する構成とする。このように容器本体１０を上下で２分割した場合の上部側の部分に（好ましくは３分割した場合の最も上部側の部分に）蓋材２０を保持する。こうすることで内フランジ部２４ａで植物４の束（下部側）を安定的に保持するなどして、植物４の束を自立させて容器２に保持することができる。
【００２０】
このように本実施例では、容器本体１０を蓋材２０に挿入する動作により、蓋材２０が、開口１６側を覆いつつ容器本体１０に保持される（蓋材の取付け作業性に優れる構成である）。そして蓋材２０が、底部１４側で容器本体１０の内壁に押し当てられて保持された状態となる（蓋材の取付け安定性に優れる構成となる）。そして本実施例では、内壁部２４（内フランジ部２４ａ）で植物４の束を保持するなどして、植物４の束を自立した状態で容器２に安定的に保持できる。このため本実施例によれば、容器本体１０の開口１６側を蓋材２０で性能良く覆うことができる。
【００２１】
［変形例１］
また容器本体の構成は、上述の構成のほか各種の構成を取り得る。例えば変形例１では、容器本体１０の内壁（周壁部１２の内面）に、内方側に向けて突出する一対の係止突起３０ａ，３０ｂが形成される（図５及び図６を参照）。一対の係止突起３０ａ，３０ｂは、上下方向に適宜の間隔をあけて（外フランジ部２２ａを配置可能なクリアランスが設けられて）、開口１６よりも底部１４側に形成される。そして本変形例では、蓋材２０の縁部（外フランジ部２２ａ）が、周壁部１２に押し当てられた状態で係止突起３０ａ，３０ｂに係止される。このように外フランジ部２２ａ（掛け止め状態）の上下に係止突起３０ａ，３０ｂが配置することで、開口１６側と底部１４側への蓋材２０の移動が規制される（適所に位置決めして保持される）。このため本変形例では、一対の係止突起３０ａ，３０ｂにより、蓋材２０を、容器本体１０により安定的に保持できる（取付け安定性に更に優れる構成となる）。
【００２２】
［変形例２］
また変形例２では、容器本体１０Ａに支持枠４０を設けることができる（図７を参照）。支持枠４０は、容器本体１０Ａの周囲に配置する枠体であり、底枠部４２と、複数の支柱部４４ａ〜４４ｄを有する。底枠部４２は、略正方形状の枠体（縦断面視が略Ｌ字状）であり、容器本体１０Ａよりも大きな外形寸法を有する。また複数の支柱部４４ａ〜４４ｄ（同形同寸）は、上下に長尺な柱状の部位（横断面視が略Ｌ字状）であり、容器本体１０Ａの上縁（四隅）からそれぞれ下方に延びる。そして各支柱部４４ａ〜４４ｄの下端が、それぞれ底枠部４２（各隅）に容器本体１０Ａの下方で連結する。本変形例によれば、底枠部４２を下にして容器本体１０Ａを輸送箱６に収納することにより、容器本体１０Ａを安定性良く輸送箱６内に収納することができる。なお本実施例では、支持枠４０と容器本体１０Ａが一体成型品であるが、容器本体１０Ａに支持枠４０を後付けすることもできる。
【００２３】
本実施形態の容器は、上述した実施形態に限定されるものではなく、その他各種の実施形態を取り得る。例えば本実施形態では、容器本体１０と蓋材２０の構成を例示したが、これら部材の構成（形状，寸法など）を限定する趣旨ではない。例えば本実施例の容器本体では、底部に比して開口の寸法が大きい（周壁部が、上部から下部に向かうにつれて次第に内方に向けて傾斜する）例を説明した。これとは異なり底部と開口が略同一寸法であってもよい。この場合には、蓋部の縁部が、下方から上方に向かうにつれて次第に外方に張り出す（傾斜する）形状とすることができる。そして容器本体に開口側に蓋材を挿入しつつ、蓋材の縁部を、開口よりも底部側で容器本体（周壁部）の内壁に押し当てる。このとき蓋部の縁部が、上方に向かうにつれて強く反りかえりながら内壁に掛け止められることとなる。なお開口（容器本体）の形状は、四角形等の多角形状（多角柱状）のほか、円形や楕円形（円柱状）等の各種の形状を取り得る。また蓋部の形状も、開口の形状に合わせて適宜変更可能であり、例えば円盤状とすることができる。なお蓋部は、開口を覆うことができる限り、容器本体に対して傾いた状態で保持されることもできる。
【００２４】
また本実施形態（変形例１）では、係止突起３０ａ，３０ｂの構成（形状，寸法，形成位置，形成数など）を例示したが、同突起の構成を限定する趣旨ではない。例えば変形例２では、一対の係止突起の一方のみを容器本体に形成することができる。また各係止突起は、容器本体に周方向に連続的に形成されていてもよく、断続的に形成されていてもよい。また係止突起（３０ｂ）として、周壁部自体が段差状に屈曲してなる部位を用いることができる。そして係止突起として、周壁部の内面に設けた凹み部の縁部を用いることができる。また変形例２では、支持枠４０の構成を例示したが、同枠の構成を限定する趣旨ではない。
【符号の説明】
【００２５】
２     容器
４     植物
６     輸送箱
１０   容器本体
１２   周壁部
１４   底部
１６   開口
２０   蓋材
２２   外壁部
２２ａ 外フランジ部
２４   内壁部
２４ａ 内フランジ部
２６   窓部
３０ａ，３０ｂ  係止突起
４０   支持枠
４２   底枠部
４４ａ〜４４ｄ  支柱部
【図１】
2015209243.tif 000003
【図２】
2015209243.tif 000004
【図３】
2015209243.tif 000005
【図４】
2015209243.tif 000006
【図５】
2015209243.tif 000007
【図６】
2015209243.tif 000008
【図７】
2015209243.tif 000009